(57)【特許請求の範囲】
【請求項１】
挟持搬送される穀稈の穂部に対し、横から強制打撃を付与し対向側の網体に衝突させて脱粒させる強制打撃ロ−タを設けた脱粒装置であって、前記強制打撃ロータを、表面が網体で略楕円形に構成すると共に、穀稈の穂部を挟んだ状態で交互に叩き合い、互いに受け合うように一対設けて対向配置してあることを特徴とする脱粒装置。
【請求項２】
前記一対の強制打撃ロータの回転方向を互いに逆方向とし、該一対の強制打撃ロータの回転速度を変更可能な構成としたことを特徴とする請求項１記載の脱粒装置。
【発明の詳細な説明】
【技術分野】
【０００１】
本発明は、穀稈の穂部に衝撃を付与して脱粒する脱粒装置に関する。
【背景技術】
【０００２】
脱粒装置の従来技術として、挟持搬送される穀稈の穂部に対し、回転する扱歯を穀稈の稈身方向で株元側から穂先側に作用させて脱粒する円筒型扱胴（周知）によるものや、特許文献１に示されるもののように、相対向する一対の脱粒ベルト相対速度差による捻り作用で穂先部の脱粒を行うものや、また、特許文献２に示されるもののように、挟持搬送される穀稈の穂部に向けて上下から挟むように金属或は樹脂性のペレットを噴射衝突させて脱粒を行うものが存在する。
【特許文献１】特開２０００−４６５３号公報
【特許文献２】特開平１−１２０２２２号公報
【発明の開示】
【発明が解決しようとする課題】
【０００３】
扱歯による脱粒は、穀粒に対し引張荷重であるため、穂切れ発生、藁屑発生が多く、これによって、枝梗の増発、消費馬力の増加、機外損失の増加を伴うものであった。
ベルト相対速度差による脱粒は、捻り作用だけでは扱き作用があまり働かないため、充分な脱粒性能が得られない問題がある。
【０００４】
また、ペレット噴射衝突による脱粒は、穀稈の穂部全ての穀粒に対してペレットを確実に作用させることが困難で脱粒残しが多く発生する。また、ペレットの回収も困難で装置が複雑化し実用に供し難いものである。
【０００５】
本発明の課題とするところは、上記問題点を解消するために、穀稈の穂部に対して、これを横から叩打して適当な目合と線径の網状体に高速で衝突させることにより、穀粒に対して引張荷重でなく、曲げ荷重を作用させて脱粒性を高め、穂切れの発生をなくして完全な単粒化を図ることにある。
【課題を解決するための手段】
【０００６】
本発明は、上述した課題を解決するために、次の如き技術手段を講じた。
すなわち、請求項１記載の発明は、挟持搬送される穀稈の穂部に対し、横から強制打撃を付与し対向側の網体に衝突させて脱粒させる強制打撃ロ−タを設けた脱粒装置であって、前記強制打撃ロータを、表面が網体で略楕円形に構成すると共に、穀稈の穂部を挟んだ状態で交互に叩き合い、互いに受け合うように一対設けて対向配置してあることを特徴とする脱粒装置とする。
【０００７】
高速回転する強制打撃ロ−タが、挟持搬送される穀稈の穂部に対して横から叩打し、対向側に面した適当な目合を有する網体に衝突させて脱粒させる。これにより、穂部の穀粒に対して引張荷重でなく、曲げ荷重が作用するため、穂切れの発生がなく単粒化が容易となる。
【０００８】
しかも、対向する一対の楕円形打撃ロ−タは、両者間を通過する穀稈の穂部に対し、一方側のロ−タが叩いたときには、この叩かれた穀稈の穂部を他方側のロ−タが表面の網体にて受けることになり、互いに叩き合い、受け合うことによって脱粒させる。これにより、藁屑の発生を少なくして脱粒でき、枝梗付着粒の発生もなく、脱粒性が向上する。
【０００９】
請求項２記載の発明は、前記一対の強制打撃ロータの回転方向を互いに逆方向とし、該一対の強制打撃ロータの回転速度を変更可能な構成としたことを特徴とする請求項１記載の脱粒装置とする。
【００１０】
対向する一対の楕円形打撃ロ−タは、互いに逆方向に回転し、両者間を通過する穀稈の穂部に対し、一方側のロ−タが叩いたときには、この叩かれた穀稈の穂部を他方側のロ−タが表面の網体にて受けることになり、互いに叩き合い、受け合うことによって脱粒させる。これにより、藁屑の発生を少なくして脱粒でき、枝梗付着粒の発生もなく、脱粒性が一層向上する。
【発明の効果】
【００１１】
請求項１記載の発明によれば、挟持搬送される穀稈の穂部に対し、横から叩打して、対向側の網体に衝突させることで脱粒させるので、穂部の穀粒に対して引張荷重でなく、曲げ荷重が作用することになり、穂切れの発生がなく単粒化が容易で、脱粒性の向上を図ることができる。
【００１２】
しかも、回転する網体の楕円形の打撃ロ−タにより、この一対の打撃ロ−タ間を通過する穀稈の穂部に対し、互いに叩き合い、且つ、互いに衝突を受け合うので、藁屑の発生、枝梗付着粒の発生をなくし、脱粒性向上を図ることができる。
【００１３】
請求項２記載の発明によれば、上記請求項１記載の発明の効果を奏するものでありながら、互いに逆方向に回転する網体の楕円形の打撃ロ−タにより、この一対の打撃ロ−タ間を通過する穀稈の穂部に対し、互いに叩き合い、且つ、互いに衝突を受け合うので、藁屑の発生、枝梗付着粒の発生をなくし、一層の脱粒性向上を図ることができる。
【発明を実施するための最良の形態】
【００１４】
以下、本発明の実施例を図面に基づいて具体的に説明する。
まず、図１に示すコンバインの構成について述べる。
走行クロ−ラ１を具備する車体２上には、前部に昇降可能な刈取部３を、後部に脱粒装置（脱穀機）４を搭載している。刈取部３の横側部には運転部を包囲するキャビン５が設置され、その後方にはグレンタンク６が装備されている。
【００１５】
つぎに、脱粒装置４の構成につき説明する。脱粒装置４の脱粒室７一側には穀稈を横倒し水平状態で挟持搬送する穀稈挟持搬送装置８が具備されている。
脱粒室７内には、図２及び図３に示すように、楕円形の強制打撃ロ−タ９を軸１０周りに回転自在に架設し、挟持搬送される穀稈の穂部に対し、横から１５ｍ／ｓ以上の高速で叩打させる構成としている。打撃ロ−タ９の対向側には叩打された穀稈の穂部を受け止める被衝突体として格子状或はクリンプ網状に構成された網状体１１を設ける。つまり、叩打された穀稈の穂部を網状体１１に衝突させることにより、穀粒の付け根部分に曲げ荷重（図４の（ロ）参照）を発生させて単粒化する構成としている。打撃ロ−タ９は、実施例では短径３００ミリ、長径５００ミリ程度の楕円形としてあり、該ロ−タ９と網状対１１との間に穀稈を送り込むことで、穀稈の穂部が高速で叩打され上方に跳ね上げられて網状体に衝突する。この際、葉茎部は空気抵抗が大きく、比重も軽いため、穀粒付着部より速度が遅く、結果的に葉茎部から穂部の穀粒付着部が露出した形で網状体１１に衝突することになる。そのため、穀粒付着部は大きな曲げ荷重を受けて、藁屑や穂切れ、枝梗付着粒を生じさせることなく確実に脱粒化することができる。
【００１６】
前記網状体１１は、図４（イ）に示すように、網の目合ピッチＰ１〜Ｐ４…を穀稈の株元側ほど（Ｐ１＞Ｐ２＞Ｐ３＞Ｐ４…）大きく（粗）し、穂先側ほど小さく（密）なるように構成して脱粒性の均等化を図るようにしている。
【００１７】
なお、前記網状体１１において、図５に示すように、格子状網体の材質を超高分子ポリエチレンで構成し、網の断面形状を尖鋭状１１ａに構成しておくと、穂部が網に衝突した際に、穀粒本体が網に接触する機会が減少することになり、単粒化が容易となる。
【００１８】
また、図２及び図３に示すように、前記網状体１１の上方には、該網状体の上方からこの網目を通して下方の脱粒室７内へ選別風を圧送するための風選手段として圧風フアン１２を設けることにより、質量の軽い葉茎部と質量の重い穀粒付着部との分離を促進し、穀粒付着部のみ網状体に衝突させて脱粒性の向上を図るようにしている。
【００１９】
更に、図６に示す実施例では、互いに逆方向に回転する楕円形の強制打撃ロ−タ９，９を対向させて設け、この打撃ロ−タ９，９は互いに位相を略９０度ずらして回転させるようにし、両者間を通過する穀稈の穂部に対し、互いに叩き合い、且つ、互いに衝突を受け合うように構成している。そして、各ロ−タ９，９の表面は適当な目合の網状体１１，１１によって構成してあると共に、該ロ−タ９，９の回転速度は穀稈がロ−タ間を往復してロ−タ表面の網状体に最大速度で衝突するよう作物の種類等によって変更可能な構成としている。
【００２０】
このように、相対向する一対の楕円形打撃ロ−タ９，９は、互いに逆方向に回転し、両者間を通過する穀稈の穂部に対し、一方側のロ−タ９が叩いたときには、この叩かれた穀稈の穂部を他方側のロ−タ９が表面の網体１１にて受けることになり、互いに叩き合い、受け合うことによって脱粒されることになる。
【００２１】
次に、図７〜図９に示す別実施例について説明する。
図７に示すように、線状又は板状の格子からなる網状体１１，１１を上下に相対向して一対設ける。この対向する網状体１１，１１の間隔を約３００ミリ程度とし、５００ｒｐｍ以上の高速で上下に往復揺動させる構成とする。そして、穀稈挟持搬送装置８により挟持搬送される穀稈を揺動する網状体１１，１１間に送り込むことで、穀稈の穂先部分が高速で上下方向に跳ね飛ばされ、対向する網状体に衝突して脱粒されることになる。かかる構成による場合も、穀粒の付根部分に曲げ荷重を発生させて確実に単粒化することができる。図８に示す実施例は、揺動支点Ｐを供給される穀稈の穂先側位置に設定し、揺動駆動機構１３によって穂先側より株元側を大きく揺動させる構成としている。これにより、株元側が穂先側より衝撃が大きくなり、穂先側に対し葉茎部が密集して脱粒しにくい株元側をより高速で衝突させることができ、脱粒率を穂先から株元まで均一化することができる。また、図９に示す実施例は、相対向する上下の網状体１１，１１に対し、この両者間に穀稈を送込供給する穀稈挟持搬送装置８を穀稈の株元側を挟持した状態で上下方向に強制揺動させることにより、穀稈の穂部側を高速で網状体１１，１１に衝突させて脱粒する構成としたものである。全長の長い穀稈の株元側を揺動させることで、挟持部の小さな振幅で穂先側の振幅を大きく増幅させることができ、脱粒効果を高めることができる。
【００２２】
また、図１０及び図１１に示す実施例においては、相対向して互いに接触しながら逆方向へ回転する送込回転体２１，２１…と、その対向接触部の回転方向下手側に配置した格子状の網状体１１とで構成され、挟持搬送される穀稈を送込回転体２１，２１にて挟持しながら高速で送込放出することで、網状体１１に衝突させ、藁屑、穂切れ、枝梗の発生を抑制しながら、脱粒作用が効率的に行なえるようにしている。送込回転体２１，２１…の表面は弾性変位可能な弾性体２２等で構成しておくとよい。回転体２１の長さは２００〜４００ｍｍ程度、直径は２００〜３５０ｍｍ程度、周速は３０ｍ／ｓ程度あればよく、また、網状体１１の目合ピッチは１２ｍｍ程度、線径は２ｍｍ程度が望ましい。
【００２３】
なお、上記構成において、対向する回転体に周速度差を設けておくと、穀粒の付着部に捻り作用が与えられ、脱粒し易くなる。
図１２、図１３に示す脱粒装置は、穀稈の穂先部分のみを切断して取り入れ、所定箇所に搬送した後、スロワ装置２３にて網状体１１に衝突させて脱粒させるように構成したものである。これによると、藁屑の発生が殆どなく、選別もそれほど要せず、直接、グレンタンクへ搬入することもできる。
【００２４】
図１４〜図１６に示す脱粒装置は、網状叩き板２４を円周上に有して回転する脱粒ロ−タ２５ａ，２５ｂ，２５ｃ…を複数設け、それぞれ隣接するロ−タとは逆方向に回転し、網状叩き板２４が挟持搬送される穀稈の穂部に対し、上から叩いたり、下から叩いたりして脱粒する構成となっている。つまり、例えば、右回転する脱粒ロ−タ２５ａが穀稈の穂部を上から叩いて下方に叩き落とすものとすれば、隣接の左回転する脱粒ロ−タ２５ｂは、穀稈穂部を下から叩いて上方に叩き上げることになり、更に、これに隣接の脱粒ロ−タ２５ｃは前記脱粒ロ−タ２５ａと同方向の右回転によって上から叩いて下方に叩き落とすものとなり、従って、網状叩き板２４の穂先部に作用する範囲が大きくなり、脱粒能率が向上する。
【００２５】
図１７に開示の脱粒装置は、回転駆動可能に軸架した脱粒ロ−タ２５の外周に複数の叩き羽根板２６…を回転軸方向に対して斜めに設け、この高速回転する叩き羽根板２６…によって挟持搬送される穀稈の穂部を叩き、脱粒ロ−タの周囲に設けた網状体１１に衝突させて脱粒させる構成である。
【００２６】
また、図１８に開示の脱粒装置は、穀稈挟持搬送装置８により穀稈の株元側を挟持して、穂先側を吸引装置（吸引フアン）２７で吸引しながら強制搬送するようにし、穂先側搬送経路中には複数の網状体１１，１１…を設置しておき、そして、吸引力で引き伸ばされながら強制搬送される穀稈の穂先部を搬送経路中の網状体１１，１１…に順次衝突させて脱粒させるものである。これによれば、穂先部が吸引力によって伸びた状態で網状体に衝突されるので、脱粒効果が向上し、藁屑の発生も少なく、また、脱粒後の穀粒は吸引装置で選別回収することができる。
【図面の簡単な説明】
【００２７】
【図１】コンバインの側面図
【図２】脱粒装置の要部の切断正面図
【図３】同上要部の切断正面図
【図４】網状体要部の断面図（イ）及び作用図（ロ）
【図５】網状体一部の斜視図及びその断面図
【図６】脱粒装置の要部の切断正面図
【図７】脱粒装置要部の正断面図
【図８】同上要部の正断面図
【図９】同上要部の正断面図
【図１０】脱粒装置の要部の切断側面図
【図１１】同上要部の切断正面図
【図１２】脱粒装置要部の側断面図
【図１３】同上要部の斜視図
【図１４】脱粒装置の要部の正面図
【図１５】同上要部の側断面図
【図１６】同上要部の斜視図
【図１７】脱粒装置の要部の平面図及び正面図
【図１８】脱粒装置の平面図
【符号の説明】
【００２８】
４  脱粒装置（脱穀機）
８  穀稈挟持搬送装置
９  強制打撃ロ−タ
１１  網状体（網体）
【図１】
0004543248.tif 000002
【図２】
0004543248.tif 000003
【図３】
0004543248.tif 000004
【図４】
0004543248.tif 000005
【図５】
0004543248.tif 000006
【図６】
0004543248.tif 000007
【図７】
0004543248.tif 000008
【図８】
0004543248.tif 000009
【図９】
0004543248.tif 000010
【図１０】
0004543248.tif 000011
【図１１】
0004543248.tif 000012
【図１２】
0004543248.tif 000013
【図１３】
0004543248.tif 000014
【図１４】
0004543248.tif 000015
【図１５】
0004543248.tif 000016
【図１６】
0004543248.tif 000017
【図１７】
0004543248.tif 000018
【図１８】
0004543248.tif 000019